(57)【要約】      （修正有）【課題】主としてアース線のようなグランド線を集約させるのに用いるコネクタであって、電線どうしの電気的な接続を確実に行うことができる電線接続コネクタを提供する。【解決手段】合成樹脂素材製の台座部材が、略平板状の台座本体と、中心線に沿った通電金具装着用の凹部と、両側縁部に立ち上げられた正面視門形の嵌合用突起とを備え、良導金属素材製の通電金具が、接続端子Ｔのコンタクト部ｔと接触する側面視Ｕ字形の接触子２１と、接触子２１間を長手方向に繋ぐ連結部２３とを備え、合成樹脂素材製のハウジング部材が、端壁３１，３２と、両側壁とからなる下部開放の箱形で、両側壁に形成された複数の縦溝と、該縦溝に形成されたロック用小突起と、上部壁に形成された複数の接続端子挿入口とを備えた構成とする。【選択図】図１５
0003181054.tif 000002
【実用新案登録請求の範囲】
【請求項１】
電気絶縁性を備えた合成樹脂素材製の台座部材(1)と、
複数本の電線どうしを電気的に接続する良導体金属素材製の通電金具(2)と、
該通電金具(2)の上面を覆って前記台座部材(1)に固定される電気絶縁性を備えた合成樹脂素材製のハウジング部材(3)とからなり、
前記台座部材(1)が、略平板状に形成された台座本体(11)と、その中心線に沿って形成された前記通電金具(2)を装着するための凹部(12)と、長手方向に沿った両側縁部(13，13)に所定の間隔を隔てて立ち上げられた正面視門形の複数の嵌合用突起(14，14)とを備え、
前記通電金具(2)が、被覆電線を連結した接続端子(T)のコンタクト部(t)と接触する側面視Ｕ字形とした複数の接触子(21)と、これらの接触子(21，21)の間を長手方向に繋ぐ連結部(23)とを備え、
前記ハウジング部材(3)が、長手方向両端部に形成された端壁(31，32)と、長手方向に沿った両側壁(33，33)とからなる下部開放の箱形で、これらの両側壁(33，33)に所定の間隔を隔てて形成された複数の縦溝(34)と、これらの縦溝(34)のそれぞれの下端近くで溝幅の中間位置に形成されたロック用小突起(35)と、上部壁(36)に所定の間隔を隔てて形成された複数の接続端子挿入口(37)とを備え、
該接続端子挿入口(37)のそれぞれを、接続端子の横断面外周形状と略同一形状の貫通孔に形成してある電線接続コネクタ。
【請求項２】
台座本体(11)の両側縁部(13，13)に形成された複数の嵌合用突起(14，14)と、ハウジング部材(3)の長手方向に沿った両側壁(33，33)に形成された複数の縦溝(34)とが、それぞれ２箇所宛である請求項１に記載の電線接続コネクタ。
【考案の詳細な説明】
【技術分野】
【０００１】
本考案は、主としてアース線のようなグランド線を集約させるのに用いる電線接続コネクタであって、より詳しくは、グランド線の先端に連結した端子の必要な本数平行に差し込んで、電線どうしを電気的に確実に接続させることができるようにした電線接続コネクタに関するものである。
【背景技術】
【０００２】
従来から、電線ケーブルどうしを電気的に接続するための電線接続コネクタとしては、コネクタに対して複数本の電線ケーブルを並列的に差し込む操作によって、差し込んだ複数本の電線ケーブルどうしを電気的に接続するようにしたものが多く提案されている（例えば、後記特許文献１参照）。
【０００３】
他方、電線の先端部に通電用の端子金具を予め連結しておき、この端子金具を連結した複数本の電線ケーブルをコネクタのハウジングに差し込んで、ハウジング内の電導板を介して複数本の電線ケーブルどうしを電気的に接続するようにしたものも、既に提案されていて周知である（例えば、後記特許文献２参照）。
【０００４】
これらの電線接続コネクタには、電線２本だけを接続する２本接続用のもの、３本接続用のもの、４本接続用のもの、さらに多くの本数を接続するようにしたものがある。これらの電線接続コネクタは、何れのものもコネクタの内部に挿入してある通電金具に、ケーブルどうしを直接接触させるか、またはケーブルの先端に取り付けてある端子金具を介して接触するようにしてある。
【先行技術文献】
【特許文献】
【０００５】
【特許文献１】特開２００２−１８４４８４号公報
【特許文献２】特開２００２−２１６９１９号公報
【考案の概要】
【考案が解決しようとする課題】
【０００６】
前者の特許文献１に記載の電線接続コネクタにあっては、電線径が直径１．５〜２ｍｍ程度の圧入強度を備えた比較的太い線径の電線を用いることが多い。また、後者の特許文献２に記載の電線接続コネクタにあっては、電線自体が差し込み強度を備えているもののみならず、差し込み強度の小さい細径の電線や多数細線の集束電線にも使用されている。
【０００７】
本考案は、主としてアース線のような電線自体が差し込み強度に乏しいグランド線を複数本または多数本、電気的接続を確実に行うことができるようにした電線接続コネクタを提供することを目的としたものである。
【課題を解決するための手段】
【０００８】
この目的を達成するために講じた本考案の請求項１に記載の電線接続コネクタは、電気絶縁性を備えた合成樹脂素材製の台座部材１と、複数本の電線どうしを電気的に接続する良導体金属素材製の通電金具２と、該通電金具２の上面を覆って前記台座部材１に固定される電気絶縁性を備えた合成樹脂素材製のハウジング部材３とからなり、前記台座部材１が、略平板状に形成された台座本体１１と、その中心線に沿って形成された前記通電金具２を装着するための凹部１２と、長手方向に沿った両側縁部１３，１３に所定の間隔を隔てて立ち上げられた正面視門形の複数の嵌合用突起１４，１４とを備え、前記通電金具２が、被覆電線を連結した接続端子Ｔのコンタクト部ｔと接触する側面視Ｕ字形とした複数の接触子２１と、これらの接触子２１，２１の間を長手方向に繋ぐ連結部２３とを備え、前記ハウジング部材３が、長手方向両端部に形成された端壁３１，３２と、長手方向に沿った両側壁３３，３３とからなる下部開放の箱形で、これらの両側壁３３，３３に所定の間隔を隔てて形成された複数の縦溝３４と、これらの縦溝３４のそれぞれの下端近くで溝幅の中間位置に形成されたロック用小突起３５と、上部壁３６に所定の間隔を隔てて形成された複数の接続端子挿入口３７とを備え、該接続端子挿入口３７のそれぞれを、接続端子の横断面外周形状と略同一形状の貫通孔に形成してある構成としたものである。
【０００９】
また、請求項２に記載の電線接続コネクタは、前記請求項１に記載の電線接続コネクタに従属する構成であって、台座本体１１の両側縁部１３，１３に形成された複数の嵌合用突起１４，１４と、ハウジング部材３の長手方向に沿った両側壁３３，３３に形成された複数の縦溝３４とが、それぞれ２箇所宛形成されている構成としたものである。
【考案の効果】
【００１０】
本考案にかかる電線接続コネクタは、前記のように、主としてアース線のような細線であって、コネクタ内への押圧挿入が困難であったり、電線自体が差し込み強度に乏しい電線であっても、電線の先端に事前にコネクタ金具を装着させてあるものとして使用することによって、複数本の電線どうしまたは多数本の電線どうしを、電気的に接続させることが確実に行えるという実用的効果を期待することができるものである。
【００１１】
さらに、本考案の請求項２に記載の電線接続コネクタは、前記の効果を備えたコネクタを、構造を簡潔にして実施することができる利点を有している。
【図面の簡単な説明】
【００１２】
【図１】本考案にかかる電線接続コネクタ全体の外観形状を示す斜視図。
【図２】同全体平面図。
【図３】同全体正面図。
【図４】同右側面図。
【図５】ハウジング部材を示す平面図。
【図６】同正面図。
【図７】同右側面図。
【図８】通電金具を示す平面図。
【図９】同正面図。
【図１０】同右側面図。
【図１１】台座部材を示す平面図。
【図１２】同正面図。
【図１３】同右側面図。
【図１４】使用状態を示す平面図。
【図１５】同一部切欠正面図。
【図１６】同右側面図。
【図１７】同斜め上方から見た斜視図。
【考案を実施するための形態】
【００１３】
以下において、本考案の主たる実施例について図面に例示した構造と共に説明する。
図１〜４は、本考案の電線接続コネクタを示す図である。図１は本考案にかかる電線接続コネクタを斜め上方から見た全体的な斜視図であり、図２はその平面から見た外形、図３はその正面から見た形状を示し、図４は図３の正面図を右側から見た形状を示したものである。
【００１４】
該実施例に示したコネクタは、電気絶縁性を備えた合成樹脂素材を用いて射出成形した台座部材１と、複数本の電線どうしを電気的に接続する良導体金属素材で成型加工した通電金具２と、該通電金具２の上面を覆って前記台座部材１に固定される電気絶縁性を備えた合成樹脂素材を射出成形したハウジング部材３との３部材によって構成してある。
【００１５】
而して、これらの３部材のうち、ハウジング部材３は、図５に平面形状を、図６に正面形状を、図７に右側面形状を示したように、長手方向の両端部に形成してある端壁３１，３２と、長手方向に沿った両側壁３３，３３とによって、下部を開放形とした箱形に形成してある。長手方向両端部の端壁３１，３２は、図７のように平坦面に形成してある。また、長手方向に沿った両側壁３３，３３には、図５，６のように、一定の間隔を隔てて片側５個宛の縦溝３４を形成してある。
【００１６】
さらに、これらの縦溝３４には、図６のように、それぞれの下端付近かつ溝幅の中間位置に、後述する台座部材１に形成された正面視門形の嵌合用突起１４と嵌合するロック用小突起３５を形成してある。また、上部壁３６には、幅方向の中間箇所で、これらの縦溝３４と対応する５箇所に電線の接続端子Ｔの端子挿入口３７を、当該接続端子Ｔの横断面外周形状と略同一形状として貫通孔に形成してある。
【００１７】
前記通電金具２は、図８に平面形状を、図９に正面形状を、図１０に右側面形状を示したように、図１５及び図１６に示した被覆電線ｗの先端に連結した接続端子Ｔの先端部を挿入する空間２２を隔てて、側面視Ｕ字形とした複数の接触子２１と、これらの接触子２１，２１の間を底辺で長手方向に繋ぐ平板状の連結部２３とを備えた構造としたものである。
【００１８】
前記台座部材１は、図１１に平面形状を、図１２に正面形状を、図１３に右側面形状を示したように、全体概形を長方形の平板状とした台座本体１１の表面に、図１１のように、前記通電金具２を装着するための凹部１２を中心線に沿って形成し、同本体１１の長手方向に沿った両側縁部１３，１３における所定の間隔を隔てた５箇所に、正面視門形とした５個宛の嵌合用突起１４，１４を、図１３のように立ち上げ形成してある構造としたものである。
【００１９】
このような構造の電線接続コネクタを使用する使用例として、図１４に平面形状を、図１５に正面形状を、図１６に右側面形状を示し、さらに、図１７に前記図１と斜視方向を一致させるべく右側上方から見た斜視図を示したように、被覆電線ｗの先端部に連結した所要数の接続端子Ｔを、前記図５に示した端子挿入口３７を介して挿入し、図１５の右下部分に破断図として示したように、それぞれの下端のコンタクト部ｔを、内装してある前記通電金具２の側面視Ｕ字形とした接触子２１，２１間の空間２２に差し込んで、それぞれの接触子２１，２１と接触させて電気的接続を行わせるようにしたものである。なお、図１７では図面の複雑化を回避するため被覆電線ｗは省略して示してある。
【００２０】
以上の実施例に示した電線接続コネクタにおける該嵌合用突起１４，１４は必ずしも５個宛形成されている必要はなく、該台座本体１１に形成された嵌合用突起１４，１４と、ハウジング部材３の両側壁３３，３３に形成された前記縦溝３４とは、台座部材１とハウジング部材３とを相対連結するためのものであるから、それぞれの側壁部分に２箇所宛形成されているものとして実施することもできるものである。
【００２１】
また、以上の実施例に示した電線接続コネクタは、例えば入力用電線１本と出力用電線４本との合計５本の電線を電気的に接続可能な電線５本用のコネクタについて示したものであるが、例えば出力用電線が２本のみ必要なコネクタとしては、電線３本用のものとして実施してもよい。また、該実施例に示した電線５本用のコネクタを用いて、入力用電線１本と出力用電線２本との接続用として使用し、残余の２本の穴については空穴のままとして、必要本数のみの電線接続コネクタとして使用することもできるものである。
【００２２】
以上本考案の代表例と思われる実施例について説明したが、本考案の電線接続コネクタは、上記の実施例に示した構造のみに限定されるものではなく、その他本考案にいう前記の構成要件を備え、かつ本考案にいう目的を達成し、本考案にいう効果を有する範囲内において適宜改変して実施することができるものである。
【産業上の利用可能性】
【００２３】
本考案の電線接続コネクタは、例えばアース線のように電線自体が細線でコネクタ内への押圧挿入が困難であったり、細線の集束電線のような電線であっても、電線の先端に事前にコネクタ金具を装着させてあるものとして、確実に通電させることができるので、これを市場に提供すれば、当業者間において大いに使用されるものと思われる。
【符号の説明】
【００２４】
１  台座部材
１１  台座本体
１２  凹部
１３  側縁部
１４  嵌合用突起
２  通電金具
２１  接触子
２３  連結部
３  ハウジング部材
３１  端壁
３２  端壁
３３  側壁
３４  縦溝
３５  ロック用小突起
３６  上部壁
３７  接続端子挿入口
Ｔ  接続端子
ｔ  コンタクト部
【図１】
0003181054.tif 000003
【図２】
0003181054.tif 000004
【図３】
0003181054.tif 000005
【図４】
0003181054.tif 000006
【図５】
0003181054.tif 000007
【図６】
0003181054.tif 000008
【図７】
0003181054.tif 000009
【図８】
0003181054.tif 000010
【図９】
0003181054.tif 000011
【図１０】
0003181054.tif 000012
【図１１】
0003181054.tif 000013
【図１２】
0003181054.tif 000014
【図１３】
0003181054.tif 000015
【図１４】
0003181054.tif 000016
【図１５】
0003181054.tif 000017
【図１６】
0003181054.tif 000018
【図１７】
0003181054.tif 000019